(57)【要約】 【課題】      簡易な構成でＬＥＤ表示機構の側面からの視認性を向上する【解決手段】部品を収容するための筐体と、前記筐体に嵌合する前面カバーと、投光源であるＬＥＤ素子と、を備える電子機器に用いられるＬＥＤ表示機構であって、略角錐台状の導光部材と、前記導光部材を構成する面の一であって前記ＬＥＤ素子に面するとともに凹凸を有する入光面と、前記入光面の対面であって前記入光面と比して面積の広い表示面と、前記入光面及び前記表示面を除いた二組の対向する側面のうち少なくとも一組に形成された、前記導光部材を前記前面カバーに係止するための係止部と、前記対向する側面のうち少なくとも一組が凹凸を形成する反射面とを備えることを特徴とし、また前記導光部材は、前記入光面及び前記反射面並びに前記表示面が一体として形成される簡易な構成であり、さらに前記反射面に形成された凹凸は前記入光面に形成された凹凸よりも粗であることを特徴とする。【選択図】図２
2009198571.tif 000002
【特許請求の範囲】
【請求項１】
部品を収容するための筐体と、前記筐体に嵌合する前面カバーと、投光源であるＬＥＤ素子と、を備える電子機器に用いられるＬＥＤ表示機構であって、
略角錐台状の導光部材と、
前記導光部材を構成する面の一であって前記ＬＥＤ素子に面するとともに凹凸を有する入光面と、
前記入光面の対面であって前記入光面と比して面積の広い表示面と、
前記入光面及び前記表示面を除いた二組の対向する側面のうち少なくとも一組に形成された、前記導光部材を前記前面カバーに係止するための係止部と、
前記対向する側面のうち少なくとも一組が凹凸を形成する反射面と、
を備えることを特徴とするＬＥＤ表示機構。
【請求項２】
前記導光部材は、前記入光面及び前記反射面並びに前記表示面を一体として形成することを特徴とする請求項１記載のＬＥＤ表示機構。
【請求項３】
前記反射面に形成された凹凸は、前記入光面に形成された凹凸よりも粗であることを特徴とする請求項１または請求項２記載のＬＥＤ表示機構。
【発明の詳細な説明】
【技術分野】
【０００１】
本発明は電子機器の表示灯として用いられるＬＥＤ表示機構の構造に関する。
【背景技術】
【０００２】
電子機器には動作状態を確認するためのＬＥＤ表示機構を装着することが広く行われている。しかし、この表示機構は正面からの視認性は優れていても、側面からの視認性については使用者にとって満足のいかないものであることが多い。
【０００３】
この課題についての解決方法として、例えば光屈折用のくぼみ部を形成する構造が知られている。（特許文献１参照）これは、ＬＥＤ素子及びＬＥＤ素子とは異なる電子部品を実装したプリント基板と、プリント基板を収容する筐体と、筐体の一部に取り付けられ、ＬＥＤ素子からの照射光を筐体外部に部分的に透過させる印刷パネルとを備えた電子機器におけるＬＥＤの表示構造において、印刷パネルのＬＥＤ照射光透過部であって筐体内部側平面に光屈折用のくぼみ部を形成した構造を有するとともに、この印刷パネルは透明なプレート上の樹脂板と当該樹脂板の一側面に貼り付けられたマスクパターンとから構成されている。
【０００４】
【特許文献１】特開２００５−３１５３３（第１図）
【発明の開示】
【発明が解決しようとする課題】
【０００５】
しかしながら、上記のＬＥＤ表示機構では筺体の内部構造は円柱形であり、ＬＥＤ素子からの照射光の拡散には限界がある。そのため、側面からの視認性にはいまだ改善の余地があった。また、樹脂板及びマスクパターンはそれぞれ筐体と別体で構成されているため、コストの削減及び構成の簡易性に課題があった。
【０００６】
本発明は、このような従来の構成が有していた問題を解決しようとするものであり、簡易な構成で側面からの視認性の向上を実現することを目的とするものである。
【課題を解決するための手段】
【０００７】
上記した目的を達成するために、請求項１記載のＬＥＤ表示機構は、部品を収容するための筐体と、前記筐体に嵌合する前面カバーと、投光源であるＬＥＤ素子と、を備える電子機器に用いられるＬＥＤ表示機構であって、略角錐台状の導光部材と、前記導光部材を構成する面の一であって前記ＬＥＤ素子に面するとともに凹凸を有する入光面と、前記入光面の対面であって前記入光面と比して面積の広い表示面と、前記入光面及び前記表示面を除いた二組の対向する側面のうち少なくとも一組に形成された、前記導光部材を前記前面カバーに係止するための係止部と、前記対向する側面のうち少なくとも一組が凹凸を形成する反射面と、を備えたことを特徴とする。
【０００８】
請求項２記載のＬＥＤ表示機構は、請求項１記載のＬＥＤ表示機構において、前記導光部材は、前記入光面及び前記反射面並びに前記表示面を一体として形成することを特徴とする。
【０００９】
請求項３記載のＬＥＤ表示機構は、請求項１記載または請求項２記載のＬＥＤ表示機構において、前記反射面に形成された凹凸は、前記入光面に形成された凹凸よりも粗であることを特徴とする。
【発明の効果】
【００１０】
本発明によれば、投光源であるＬＥＤ素子から投光された光は導光部材の反射面に形成された凹凸に乱反射することで拡散し、表示面を均一に照射する。またこのとき、導光部材が略角錐台状であるため、表示面の大きさがＬＥＤ素子の大きさに比して大きい場合であっても、より面積の狭い入光面から入光するためＬＥＤ素子の指向性によって受ける影響は少ない。その結果、側面からＬＥＤ表示機構を視認する場合であっても、正面から視認する場合と変わらない輝度を保つことができる。
【００１１】
また本発明によれば、前記導光部材は前記入光面及び前記反射面並びに前記表示面が一体として形成された簡易かつ最低限の構成なので、余計な工程を省き、コストの低下をはかることができる。
【発明を実施するための最良の形態】
【００１２】
以下、本発明の実施の形態を図面を参照しながら具体的に説明する。図１は本発明に係るＬＥＤ表示機構が採用される電子機器の概略斜視図であり、図２は本発明に係るＬＥＤ表示機構の説明図であり、図３（ａ）は本発明に係るＬＥＤ表示機構に採用される導光部材の上面図であり、（ｂ）はその正面図であり、（ｃ）はその底面図であり、（ｄ）はその側面図である。
【実施例】
【００１３】
まず図１に基づいて、本発明に係るＬＥＤ表示機構が採用される電子機器の概略について説明する。電子機器１０は、部品を収納するための筐体１１と、筐体１１に嵌合する前面カバー１２とを有し、前面カバー１２には電子機器１０の動作状況を表示するためのＬＥＤ表示機構１が装着されている。
【００１４】
次に、図２に基づいて本発明に係るＬＥＤ表示機構について説明する。ＬＥＤ表示機構１は、投光源であるＬＥＤ素子２と、このＬＥＤ素子２からの照射光２ａがその内部で乱反射することで拡散する略角錐台状の導光部材３によって構成される。このとき導光部材３は、例えば透明樹脂などの視認性が良好な素材を用いることが望ましい。
【００１５】
前記導光部材３において、ＬＥＤ素子２からの照射光２ａは、導光部材３を構成する面のうち、まずＬＥＤ素子２に面した入光面４の凹凸４ａに乱反射しながら導光部材３の内部に入光する。この後、導光部材３の反射面５に設けられた凹凸５ａにおいて更に乱反射し、拡散しながら入光面４の対面である表示面６から導光部材３の外部へと放射される。
【００１６】
また前記導光部材３を構成する面であって、入光面４及び反射面６を除いた二組の対向する側面のうち少なくとも一組には、導光部材３を前面カバー１２に係止するための係止部７ａが形成されている。この係止部７ａを前面カバー１２に設けられた凸部７ｂと嵌合することで、導光部材３は前面カバー１２に係止される。
この係止部７ａは図示するように凹状であれば、凹凸５ａと同様に導光部材３の反射面５において、照射光２ａを乱反射するための凹凸を形成することができるという利点がある。しかし導光部材３を前面カバー１２に係止することが可能な構造であれば、凸状その他の形状であっても良く、また前面カバー１２に設けられた凸部も同様である。
【００１７】
次に図３（ａ）〜（ｄ）に基づいて本発明に係るＬＥＤ表示機構に採用される導光部材について説明する。導光部材３は、入光面４及び反射面５並びに表示面６が一体として形成される簡易な構成である。さらに、反射面５に形成された凹凸５ａは入光面４に形成された凹凸４ａよりも粗であることが特徴である。
ＬＥＤ素子の光２ａは指向性が高いため、入光面４に形成された凹凸４ａが粗である場合、この光２ａが十分に乱反射しないまま表示面６から導光部材３の外部へと放射されてしまう。しかしながら凹凸４ａを密にすることで、光２ａは多方向へ乱反射できる。また、凹凸５ａを粗に形成することで、凹凸５ａにおける光２ａの過度の反射を防ぎ、吸収による減衰を抑制できる。この結果、凹凸４ａによって多方向へ拡散した光２ａは、凹凸５ａにおいて更に拡散し、かつ輝度の高い状態を維持したまま表示面６から放射される。
【００１８】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００１９】
【図１】図１は本発明に係るＬＥＤ表示機構が採用される電子機器の概略斜視図である。
【図２】図２は本発明に係るＬＥＤ表示機構の説明図である。
【図３】図３（ａ）は本発明に係るＬＥＤ表示機構に採用される導光部材の上面図であり、（ｂ）はその正面図であり、（ｃ）はその底面図であり、（ｄ）はその側面図である。
【符号の説明】
【００２０】
１  ＬＥＤ表示機構
２  ＬＥＤ素子
２ａ  照射光
３  導光部材
４  入光面
４ａ  凹凸
５  反射面
５ａ  凹凸
６  表示面
７ａ  係止部
７ｂ  凸部
１０  電子機器
１１  筐体
１２  前面カバー
【図１】
2009198571.tif 000003
【図２】
2009198571.tif 000004
【図３】
2009198571.tif 000005